(57)【特許請求の範囲】
【請求項１】
配光形成用に魚眼レンズカットが採用されて成るアウターレンズにおいて、前記魚眼レンズカットは、夫々の区画に内接円を想定すると共に、該内接円の中心で垂直方向と水平方向とに四分割し、この四分割された各区画を更に前記内接円を、前記中心を囲む対角線を軸として反転させ、外側と内側とに同一形状となる外接部と内接部とを設定し、前記内接部と前記外接部とを、本来位置していた場所のレンズ面形状を保つ状態で入れ替えを行った区画の集合とされていることを特徴とするアウターレンズ。
【請求項２】
請求項１記載のアウターレンズを具備することを特徴とする車両用灯具。
【発明の詳細な説明】
【技術分野】
【０００１】
本発明は、車両用灯具に規定の配光特性を与えるときのアウターレンズ用として用いられる魚眼レンズカット、および、この魚眼レンズカットを採用したアウターレンズを具備する車両用灯具に係るものである。
【背景技術】
【０００２】
従来のこの種の魚眼レンズカット９３ａを採用した車両用灯具９０の構成の例を示すものが図６であり、この車両用灯具９０には回転放物面の反射鏡９１が設けられ、この反射鏡９１の焦点の位置に置かれた光源９２からの光を、略平行光線として反射し、照射を目的とする方向に向けて放射するものとされている。
【０００３】
そして、前記反射鏡９１の反射方向側には、この反射鏡９１を覆うようにアウターレンズ９３が設けられ、前記した平行光線を透過させるものとされているが、このときに、前記アウターレンズ９３には魚眼レンズカット９３ａが設けられ、前記した平行光線を適宜に拡散することで、車両用灯具９０としての配光特性が得られるものとされている。
【特許文献１】特開２０００−１４９６１６号公報
【発明の開示】
【発明が解決しようとする課題】
【０００４】
しかしながら、前記した従来の構成の車両用灯具９０においては、上記にも説明したように魚眼レンズカット９３ａは、魚眼レンズなどと称される凸レンズの集合として形成されているので、個々のレンズが接合される位置には接合線９３ｂを生じるものとなり、後続車などから前記接合線９３ｂを看視するときには、この接合線９３ｂがアウターレンズ９３の面に、縦横、若しくは、蜂の巣状に現れて、観視者に画一的な印象を与えるものとなり、いわゆる、高級車も大衆車もそれ程のデザイン的な差異を感じさせないものとなり、車格に応じる高級感などの演出が困難となっている。
【０００５】
また、デザイン面に変化を持たせるために、個々のレンズカット９３ａ間のピッチを拡げると、配光特性を確保するために前記アウターレンズ９３も厚く形成しなければ成らず、アウターレンズ９３表面の肉厚となる部分にヒケを生じやすくなり、見栄えを損なうと共に、このヒケを少なくするためには成形工程に時間がかかるなど生産性に問題を生じるという問題点を生じるものとなっていた。
【課題を解決するための手段】
【０００６】
本発明は、上記した従来の課題を解決するための具体的手段として、配光形成用に魚眼レンズが採用されて成る車両用灯具において、前記魚眼レンズは、夫々の区画に内接円を想定すると共に、該内接円の中心で垂直方向と水平方向とに四分割し、この四分割された各区画を更に前記内接円を、前記中心を囲む対角線を軸として反転させ、外側と内側とに同一形状となる外接部と内接部とを設定し、前記内接部と前記外接部とを、本来位置していた場所のレンズ形状を保つ状態で入れ替えを行った区画の集合とされていることを特徴とする魚眼レンズ、および、上記記載の魚眼レンズを具備することを特徴とする車両用灯具を提供することで、課題を解決するものである。
【発明の効果】
【０００７】
本発明により、魚眼レンズは、夫々の区画に内接円を想定すると共に、中心で垂直方向と水平方向とに四分割し、この四分割された各区画を更に前記内接円を、前記中心を囲む対角線を軸として反転させ、外側と内側とに同一形状となる外接部と内接部とを設定し、前記内接部と前記外接部とを、本来位置していた場所のレンズ形状を保つ状態で入れ替えを行った区画の集合とされているものとしたこで、アウターレンズの表面、即ち、後続車の運転者から見るときにも斬新な模様が現れ、高級感など他車との相違を感じられるものとなる。
【発明を実施するための最良の形態】
【０００８】
つぎに、本発明を図に示す実施形態に基づいて詳細に説明する。図１に示すものは、本発明に係る魚眼レンズカット２が施されたアウターレンズ１であり、ここでは、個々の魚眼レンズカット２が施されている区画３の形状が明確に現れるように、前記アウターレンズ１を裏面から見た状態で示してあるが、現実に、外気に触れる側に凹凸があると、魚眼レンズカット２間の溝に塵埃が溜まり汚れるなどの問題を生じるので、魚眼レンズカットが行われない平面の側が表面とされている。よって、以降の説明も平面の側を表面として説明を行う。
【０００９】
本発明では、まず、アウターレンズ１の魚眼レンズカット２が行われている夫々の区画３に対して内接円Ｅを想定すると共に、この区画３の中心Ｐを通る垂直線Ｖと水平線Ｈとで仮想的に四分割を行う。このようにすることで、前記内接円Ｅは前記垂直線Ｖと水平線Ｈとに区画３の夫々の辺の中心で接するものとなる。
【００１０】
よって、前記内接円Ｅは、四分割された夫々の区画３１の対峙する２つの隅の間を円を四等分した円弧で結ぶものとなる。ここで、上記した２つの隅を結ぶ内接円Ｅの一部である円弧Ｅａを、この円弧Ｅａが接している２つの隅を結ぶ直線Ｑを軸として反対側に回転させれば、四分割された夫々の区画３１には略舟型形状に囲まれた一つの小区画３１ａを生じ、その両側には略３角形状に囲まれた２つの小区画３１ｂと小区画３１ｃとを生じる。
【００１１】
そして、前記した略三角形状の２つの小区画３１ｂと小区画３１ｃとは、アウターレンズ１の表面側から見るときには、上記した略舟型形状に囲まれた小区画３１ａに対して対称形のものと成る。尚、前記したように裏面側には魚眼レンズカット２が施されているものであるので、厚み方向には同一のものではない。
【００１２】
図２は、魚眼レンズカット２が行われている１つの区画３の対角線に沿う断面図であり、上記に説明したように、１つの区画３は、まず、中心線Ｐにより図示の状態では２つの区画３１に分けられ、更に、夫々の区画３１は、一方の区画３１は、図の右側から小区画３１ｂ、小区画３１ａ、小区画３１ｃと分けられ、他方の区画３１は、同様に右側から小区画３１ｃ、小区画３１ａ、小区画３１ｂの順に分けられている。
【００１３】
ここで、本発明では、上記にも説明したように小区画３１ｂと小区画３１ｃが小区画３１ａに対して対称形であることを利用して、夫々を１８０°回転させた状態として場所を入れ替えるものであり、その入れ替えが行われた状態を示すものが図３である。よって、図４に示すようにアウターレンズ１としての全体的な印象は、従来の魚眼レンズカット２が施されたものと大きく変わるものとなり、斬新な見栄えのアウターレンズ１となる。
【００１４】
尚、本発明では上記の説明でも明らかなように、小区画３１ｂと小区画３１ｃとの配置の位置を変更したものであり、基本となる魚眼レンズカット２の曲率までも変更したものではないので、配光的にはそれ程に大きな変化を生じることはなく、この種のアウターレンズ１に要求される配光特性は充分に満足するものとなる。尚、実際の実施に当たっては、例えば、小区画３１ａの部分を幅方向に調整して円形から外れる形状とするなどの変更は自由である。
【００１５】
更には、上記のように、小区画３１ｂと、小区画３１ｃとの位置が入れ換えられたことで、従来の魚眼レンズカット２では、小区画間に段差を生じることがなく、よって、魚眼レンズカット２が施されている１つの区画３を大きくしようとすると、魚眼レンズカット２の半径も大きくなり、この結果、アウターレンズ１全体が厚いものと成っていたが、本発明によれば、段差の調整、各部の曲率の調整などで、厚さの増加を押さえることも可能であり、一層に模様を強調し、斬新なアウターレンズ１の形成が可能となる。
【００１６】
図５は、本発明による、アウターレンズ１を取付けた車両用灯具１０を要部で示すものであり、光源の点灯時、不点灯時に係わらず小区画３１ａ、３１ｂ、３１ｃが形成する本発明独自の紋様がアウターレンズ１面に現れるものとなり、後続車の運転者などに今までにない斬新さと美観とを与えるものとなり、他車との相違も明らかなものとする。
【００１７】
尚、本発明は車両用灯具１０のアウターレンズ１に限られるものではなく、例えば、室内灯、街灯などのレンズとして利用しても良いものであることは云うまでもない。また、車両用灯具１０のアウターレンズとして採用する場合においても、従来例で説明した魚眼レンズカット２の部分と、本発明のカットの部分とを模様状に組合わせるなどして、一層に見栄えにはえるアウターレンズ１とすることも自在である。
【図面の簡単な説明】
【００１８】
【図１】本発明に係るアウターレンズの、１つの区画における分割状態を示す説明図である。
【図２】図１のＡ−Ａ線に沿う断面図である。
【図３】本発明により小区画の入れ換えを行った後の完成状態を示す断面図である。
【図４】本発明に係るアウターレンズの、全体的な見え方を示す説明図である。
【図５】本発明に係るアウターレンズを採用した車両灯灯具を示す説明図である。
【図６】従来例を示す説明図である。
【符号の説明】
【００１９】
１…アウターレンズ
２…魚眼レンズカット
３…区画
３１ａ、３１ｂ、３１ｃ…小区画
１０…車両用灯具
【図１】
0004548845.tif 000002
【図２】
0004548845.tif 000003
【図３】
0004548845.tif 000004
【図４】
0004548845.tif 000005
【図５】
0004548845.tif 000006
【図６】
0004548845.tif 000007